(57)【要約】【課題】画像形成装置において、全域印字モードで両面印字を行う場合に、循環枚数を１枚とし、転写手段のクリーニングに必要な時間を確保することで、汚れのない画像を提供できるようにする。【解決手段】本発明に係る画像形成装置１によれば、全域印字モードが設定されている場合、両面印字時には循環枚数を１枚に変更し、印字率算出部１０６により算出された、転写紙の書込み領域外枠における印字率に基づいて２次転写ローラのクリーニング条件を決定し、画像形成後、決定されたクリーニング条件に基づいて２次転写ローラをクリーニングする。【選択図】図１
2005062412.tif 000002
【特許請求の範囲】
【請求項１】
入力画像データに基づいてトナー像を形成する画像形成手段と、前記形成されたトナー像を転写紙に転写する転写手段と、前記転写手段に付着したトナー像を取り除くクリーニング手段と、を備えた画像形成装置において、
前記転写紙の全域に画像形成を行う全域印字モード、及び前記転写紙を印字領域と印字領域外枠に区分して前記転写紙の印字領域のみに画像形成を行う通常印字モードを有し、
前記全域印字モード又は前記通常モードの何れか一方を選択するための選択手段と、
前記選択手段により全域印字モードが選択された場合に、両面印字時の前記転写紙の循環枚数を１枚とし、給紙された前記転写紙の片面に画像を転写後、前記転写紙の循環中に前記クリーニング手段により前記転写手段のクリーニングを行い、前記クリーニング終了後に前記転写紙の裏面に画像を転写し、転写後に前記クリーニング手段により前記転写手段のクリーニングを行い、このクリーニング終了後に次の転写紙の循環を開始するように制御する制御手段と、
を備えたことを特徴とする画像形成装置。
【請求項２】
前記選択手段により前記全域印字モードが選択された場合に、前記入力画像データに基づいて、前記転写紙の印字領域外枠部分の全面積に占める印字面積の割合を示す印字率を算出する印字率算出手段を備え、
前記制御手段は、前記算出された印字率に基づいて、前記クリーニング手段による前記転写手段のクリーニング条件を決定することを特徴とする請求項１に記載の画像形成装置。
【請求項３】
前記制御手段は、前記算出された印字率が０又は０近傍である場合に、前記クリーニング手段の動作を中止し、次の動作に移行するように制御することを特徴とする請求項２に記載の画像形成装置。
【請求項４】
前記クリーニング手段は、前記転写手段に付着したトナーを掻き取るためのブレードを有し、
前記制御手段は、前記印字率算出手段により算出された印字率に基づいて、前記クリーニングの実行時間を変化させることを特徴とする請求項２に記載の画像形成装置。
【請求項５】
前記転写手段は、前記画像形成手段の中間転写ベルトに対向して配置され、
前記クリーニング手段は、前記転写手段に正と負の電流を交互に流し、前記中間転写ベルトに前記転写手段に付着されたトナーを転写することにより前記転写手段のクリーニングを行い、
前記制御手段は、前記印字率算出手段により算出された印字率に基づいて、前記クリーニングの実行時間及び与える電流値を変化させることを特徴とする請求項２に記載の画像形成装置。
【発明の詳細な説明】
【技術分野】
【０００１】
本発明は、画像形成装置に係り、より詳細には、転写紙の全域に画像を形成した後の転写手段のクリーニングに関する。
【背景技術】
【０００２】
一般的に、画像形成装置においては、転写紙全域に画像形成を行うのではなく、印字領域の外側に、数ｍｍ程度印字領域外枠を設け、印字領域外枠には画像形成を行わないようにしている。これは、転写紙全域に画像形成を行うと、作像されたトナー像が転写紙からはみ出して２次転写ローラ等の転写手段に付着することによる後続紙の汚れ等を防ぐためである。
【０００３】
しかしながら、ユーザによっては全域領域を行いたいとする場合もあるので、特許文献１に記載されているように、通常モードと全域印字モードが設けられている。
【特許文献１】特開２００１−１１７３８２号公報
【発明の開示】
【発明が解決しようとする課題】
【０００４】
ところで、両面印字を行う場合には、１分当りの出力可能枚数を確保するため、転写紙を所定枚数連続して給紙し、片面の画像形成を連続的に行い、両面搬送経路上を循環させて用紙を反転させ、再度、もう片面の画像形成を連続的に行う方法が用いられている。上述した所定枚数は、循環枚数と呼ばれ、転写紙のサイズ毎に設定されている。
【０００５】
全域印字モードでは、転写手段にトナーが付着することにより後続紙が汚れる可能性が大きい。そのため、画像形成を１回行う毎にクリーニングを行う必要がある。しかしながら、両面印字を行う場合に、１分当りの出力可能枚数を確保しつつ、紙間でクリーニングを行うには時間が短く、転写手段に汚れが残り、後続紙に汚れが付着してしまうという問題があった。
【０００６】
本発明の課題は、画像形成装置において、全域印字モードで両面印字を行う場合に、循環枚数を１枚とし、転写手段のクリーニングに必要な時間を確保することで、汚れのない画像を提供できるようにすることである。
【課題を解決するための手段】
【０００７】
上記課題を解決するため、請求項１に記載の発明は、
入力画像データに基づいてトナー像を形成する画像形成手段と、前記形成されたトナー像を転写紙に転写する転写手段と、前記転写手段に付着したトナー像を取り除くクリーニング手段と、を備えた画像形成装置において、
前記転写紙の全域に画像形成を行う全域印字モード、及び前記転写紙を印字領域と印字領域外枠に区分して前記転写紙の印字領域のみに画像形成を行う通常印字モードを有し、
前記全域印字モード又は前記通常モードの何れか一方を選択するための選択手段と、
前記選択手段により全域印字モードが選択された場合に、両面印字時の前記転写紙の循環枚数を１枚とし、給紙された前記転写紙の片面に画像を転写後、前記転写紙の循環中に前記クリーニング手段により前記転写手段のクリーニングを行い、前記クリーニング終了後に前記転写紙の裏面に画像を転写し、転写後に前記クリーニング手段により前記転写手段のクリーニングを行い、このクリーニング終了後に次の転写紙の循環を開始するように制御する制御手段と、
を備えたことを特徴としている。
【０００８】
請求項２に記載の発明は、請求項１に記載の発明において、
前記選択手段により前記全域印字モードが選択された場合に、前記入力画像データに基づいて、前記転写紙の印字領域外枠部分の全面積に占める印字面積の割合を示す印字率を算出する印字率算出手段を備え、
前記制御手段は、前記算出された印字率に基づいて、前記クリーニング手段による前記転写手段のクリーニング条件を決定することを特徴としている。
【０００９】
請求項３に記載の発明は、請求項２に記載の発明において、
前記制御手段は、前記算出された印字率が０又は０近傍である場合に、前記クリーニング手段の動作を中止し、次の動作に移行するように制御することを特徴としている。
【００１０】
請求項４に記載の発明は、請求項２に記載の発明において、
前記クリーニング手段は、前記転写手段に付着したトナーを掻き取るためのブレードを有し、
前記制御手段は、前記印字率算出手段により算出された印字率に基づいて、前記クリーニングの実行時間を変化させることを特徴としている。
【００１１】
請求項５に記載の発明は、請求項２に記載の発明において、
前記転写手段は、前記画像形成手段の中間転写ベルトに対向して配置され、
前記クリーニング手段は、前記転写手段に正と負の電流を交互に流し、前記中間転写ベルトに前記転写手段に付着されたトナーを転写することにより前記転写手段のクリーニングを行い、
前記制御手段は、前記印字率算出手段により算出された印字率に基づいて、前記クリーニングの実行時間及び与える電流値を変化させることを特徴としている。
【発明の効果】
【００１２】
請求項１に記載の発明によれば、転写紙の全域に画像形成を行う全域印字モードが選択された場合に、両面印字時の転写紙の循環枚数を１枚とし、給紙された転写紙の片面に画像を転写後、この転写紙の循環中にクリーニング手段により転写手段のクリーニングを行い、クリーニング終了後に転写紙の裏面に画像を転写し、転写後にクリーニング手段により転写手段のクリーニングを行い、このクリーニング終了後に次の転写紙の循環を開始する。従って、全域印字モードでの両面印字時の循環枚数が１枚であるので、循環中に転写手段をクリーニングする時間を確保することができ、汚れのない、ユーザの満足できる画像を提供することができる。
【００１３】
請求項２に記載の発明によれば、全域印字モードが選択された場合に、入力画像データに基づいて、転写紙の印字領域外枠部分の全面積に占める印字面積の割合を示す印字率を算出し、算出された印字率に基づいて、クリーニング手段による転写手段のクリーニング条件を決定する。従って、各印字率における転写手段の汚れ具合に応じて最適なクリーニングを実行することができる。
【００１４】
請求項３に記載の発明によれば、算出された印字率が０又は０近傍である場合に、クリーニング手段の動作を中止し、次の動作に移行する。従って、転写手段にほとんど汚れがなく、クリーニング不要の場合にはクリーニングを行わずに次の動作に移行するので、効無駄なクリーニング時間、無駄なクリーニング動作をなくすことができ、効率的にプリント出力を行うことができる。
【００１５】
請求項４に記載の発明によれば、算出された印字率に基づいて、ブレードにより転写手段に付着したトナーを掻き取る時間を変化させるので、転写手段の汚れ具合に応じた最適なクリーニングを行うことができる。
【００１６】
請求項５に記載の発明によれば、転写手段に正と負の電流を交互に流し、転写手段に付着されたトナーを中間転写ベルトに転写することにより転写手段のクリーニングを行う。このとき、算出された印字率に基づいて、クリーニングの実行時間及び与える電流値を変化させる。従って、転写手段の汚れ具合に応じた最適なクリーニングを行うことができる。
【発明を実施するための最良の形態】
【００１７】
〔第１の実施の形態〕
以下、図を参照して、本発明の実施の形態を詳細に説明する。
まず、構成を説明する。
【００１８】
図１に、本発明に係る画像形成装置１内部の構成例を示す。画像形成装置１は、例えば、電子写真方式のカラー複写機であり、図１に示すように、制御部１０１、操作表示部１０２、スキャナ部１０３、画像処理部１０４、プリンタ部１０５、印字率算出部１０６、記憶部１０７、送受信部１０８等により構成され、各部はバス１０９により接続されている。
【００１９】
制御部１０１は、ＣＰＵ（Central Processing Unit）、ＲＯＭ（Read Only Memory）、ＲＡＭ（Random Access Memory）等により構成される。制御部１０１のＣＰＵは、操作表示部１０２の操作により、ＲＯＭに記憶されているシステムプログラムや各種処理プログラムを読み出してＲＡＭに展開し、展開されたプログラムに従って、画像形成装置１各部の動作を集中制御する。
【００２０】
即ち、制御部１０１は、通常モード又は全域印字モードを選択するための選択手段としての操作表示部１０２からの入力や送受信部１０８から受信された制御データに基づいて、動作モードを通常モード又は全域印字モードに設定し、設定された動作モードに応じて各部を集中制御し、後述するコピー処理（図６参照）を始めとする各種処理を実行する。
【００２１】
ここで、通常モードは、図２に示すように、転写紙全域に印刷を行わず、画像形成を行う印字領域の外側に数ｍｍ程度、画像形成を行わない印字領域外枠（図２の着色部分；以下、書込み領域外枠と称する）を設け、印字領域のみに画像形成を行うモードである。これは、転写紙の全域に印刷を行うことにより、作像されたトナー像が転写紙からはみ出すことにより後続紙が汚れたり、転写紙が中間転写ベルト５６に付着したりすることを防ぐためである。
【００２２】
一方、全域印字モードは、通常モードで印字不可能な書込み領域外枠（図２の着色部分）も含めて画像形成を行うモードである。
【００２３】
操作表示部１０２は、ＬＣＤ（Liquid Crystal Display）により構成され、制御部１０１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１０１に出力する。また、操作表示部１０２は、数字ボタン、スタートボタン等の各種操作ボタンを備え、ボタン操作による操作信号を制御部１０１に出力する。
【００２４】
スキャナ部１０３は、原稿を載置するコンタクトガラスの下部にスキャナを備えて構成され、原稿の画像を読み取る。スキャナは、光源、ＣＣＤ（Charge Coupled Device）、Ａ／Ｄ変換器等により構成され、光源から原稿へ照明走査した光の反射光を結像して光電変換することにより原稿の画像をＲ、Ｇ、Ｂ信号として読み取り、読み取った画像をＡ／Ｄ変換して画像処理部１０４に出力する。ここで、画像は、図形や写真等のイメージデータに限らず、文字や記号等のテキストデータ等も含む。
【００２５】
画像処理部１０４は、スキャナ部１０３により読み取って得られた画像データ、送受信部１０８から送信された画像データに、拡大／縮小、回転、周波数変換、ＲＧＢデータからＹＭＣＫデータへの色変換、階調補正等の各種画像処理を施してプリンタ部１０５へ出力する。
【００２６】
プリンタ部１０５は、電子写真方式により、画像処理部１０４から入力されたＹＭＣＫの画像データに基づいて、転写紙上に画像を形成して出力する。
図３に、プリンタ部１０５の要部構成を示す。図３に示すように、プリンタ部１０５は、画像処理部１０４から入力された画像データに基づいて、感光体にレーザを露光する書込みユニット４０Ｙ、４０Ｍ、４０Ｃ、４０Ｋと、Ｙ、Ｍ、Ｃ、Ｋの各色のトナー像を形成する感光体ユニット５０Ｙ、５０Ｍ、５０Ｃ、５０Ｋと、ローラ５７の回転自在に感光体ユニット５０Ｙ、５０Ｍ、５０Ｃ、５０Ｋで形成されたトナー像を転写紙に搬送する中間転写体としての中間転写ベルト５６と、転写紙を搬送するレジストローラ５８と、転写紙に中間転写ベルト５６上に形成されたトナー像を転写する２次転写ローラ５９と、転写紙にトナー像を定着させる定着ユニット６０と、転写紙を排紙する排紙ローラ６１と、を含んで構成されている。
【００２７】
ここで、感光体ユニット５０Ｙ、５０Ｍ、５０Ｃ、５０Ｋ及び中間転写ベルト５６は、入力された画像データに基づいてトナー像を形成する画像形成手段であり、２次転写ローラ５９は、画像形成手段により形成されたトナー像を転写紙上に転写する転写手段である。
【００２８】
感光体ユニット５０Ｙは、感光体ドラム５１Ｙと、現像器５２Ｙと、帯電器５３Ｙと、クリーナ５４Ｙと、１次転写ローラ５５Ｙとを備えて構成されている。感光体ユニット５０Ｍ、５０Ｃ、５０Ｋも同様である。
【００２９】
ここで、プリンタ部１０５における画像形成について説明する。まず、感光体ユニット５０Ｙにおいて、感光体ドラム５１Ｙが回転し、その表面が帯電器５３Ｙにより帯電され、書込みユニット４０Ｙのレーザ光源の露光によりその帯電部分に画像処理部１０４から入力されたＹデータの画像の潜像が形成される。そして、現像器５２Ｙによりその潜像部分にイエローのトナー像が形成される。そのトナー像は１次転写ローラ５５Ｙの圧接により中間転写ベルト５６に転写される（１次転写）。トナー像は、出力対象の画像データに対応するイエローの像となる。転写されなかったトナーは、クリーナ５４Ｙにより除去される。
【００３０】
感光体ユニット５０Ｍ、５０Ｃ、５０Ｋについても同様に、マゼンダのトナー像、シアンのトナー像、黒のトナー像がそれぞれ同様に形成及び転写される。ローラ５７、１次転写ローラ５５Ｙ、５５Ｍ、５５Ｃ、５５Ｋ、２次転写ローラ５９の回転により、中間転写ベルト５６も回動され、ＹＭＣＫのトナー像が中間転写ベルト５６上に順に重ねられて転写される。また、給紙トレイ６６からレジストローラ５８の回転により転写紙が２次転写ローラ５９に搬送される。
【００３１】
２次転写ローラ５９の圧接部を転写紙が通過することにより、中間転写ベルト５６上のＹＭＣＫのトナー像が転写紙に転写される（２次転写）。ＹＭＣＫのトナー像が転写された転写紙は、定着ユニット６０を通過する。定着ユニット６０の加圧及び加熱により、ＹＭＣＫのトナー像が転写紙上に定着されてカラー画像が形成される。画像形成された転写紙は、排紙ローラ６１により、図示しない排紙トレイなどに搬送される。また、両面印刷をする場合には、片面に画像形成された転写紙が、搬送路切換板６４により両面搬送ユニット６５に送り込まれ、両面搬送ユニット６５により面が反転され、画像形成されていない面に再び画像形成するようにレジストローラ５８により、２次転写ローラ５９に搬送される。このように、両面印刷をする場合には、転写紙は、両面を画像形成するために、搬送経路内を循環する。両面印刷され、トナーの定着が行われた転写紙は、排紙ローラ６１により、図示しない排紙トレイ等に搬送される。
【００３２】
転写紙への画像形成後、ベルトクリーニング６２により、中間転写ベルト５６上に付着したトナーが除去される。また、２次転写ローラ５９に対して、クリーニング手段としての電源６７からプラス極性の電流及びマイナス極性の電流を交互に切り換えて所定時間流すことにより、２次転写ローラ５９に付着したトナーを中間転写ベルト５６に転写して、２次転写ローラ５９のクリーニングが行われる。
【００３３】
図４（ａ）〜（ｃ）は、２次転写ローラ５９のクリーニング工程を模式的に示す図である。図４（ａ）に示すように、転写後、２次転写ローラ５９上にトナーが付着する。このとき、現像や１次転写においてもトナーに高圧をかけているため、トナーの帯電極性はまちまちである。ここで、図４（ｂ）に示すように、２次転写ローラ５９に電源６７からプラス極性の電流を流すと、プラス極性のトナーが中間転写ベルト５６に付着する。また、図４（ｃ）に示すように、２次転写ローラ５９に電源６７からマイナス極性の電流を流すと、プラス極性のトナーが中間転写ベルト５６に付着する。このように、電源６７から２次転写ローラ５９にプラス極性、マイナス極性の電流を交互に流すことにより、２次転写ローラ５９がクリーニングされる。
【００３４】
図１の印字率算出部１０６は、周知の方法を用いて、画像データを抽出することにより、転写紙のサイズ毎に予め設定されている書込み領域外枠（図２の着色部分）の全面積に対する、画像を形成すべき面積の割合を求めて印字率を算出し、結果を制御部１０１へ出力する。
【００３５】
記憶部１０７は、フラッシュメモリ等により構成され、２次転写ローラクリーニング条件テーブル１０７ａを始めとする各種データを記憶する。
図５に、２次転写ローラクリーニング条件テーブル１０７ａの一例を示す。図５に示すように、２次転写ローラクリーニング条件テーブル１０７ａは、印字率を示すデータ（例えば、０〜０．１％未満、０．１〜５％未満、５〜１０％未満、１０％以上）と、印字率に応じて２次転写ローラ５９のクリーニング時に電源６７から流すプラス極性電流値を示すデータ（例えば、０、１３μＡ、１５μＡ、１７μＡ）と、印字率に応じて２次転写ローラ５９のクリーニング時に電源６７から流すマイナス極性電流値を示すデータ（例えば、０、−１３μＡ、−１５μＡ、−１７μＡ）と、印字率に応じた２次転写ローラ５９のクリーニング実行時間を示すデータ（例えば、０秒、２秒、４秒、６秒）と、が互いに対応付けて記憶されている。この２次転写ローラクリーニング条件テーブル１０７ａには、印字率の各段階において発生する２次転写ローラの汚れに対して最適なクリーニングを行えるようにクリーニング条件が設定されている。
【００３６】
送受信部１０８は、モデム、ＬＡＮアダプタやルータやＴＡ（Terminal Adapter）等によって構成され、専用線、或いはＩＳＤＮ回線等の通信回線を介してネットワークＮに接続された各装置との通信制御を行い、画像データ等の受信等を行う。
【００３７】
次に、動作について説明する。
図６に、操作表示部１０２からスタートボタンが押下されることにより、制御部１０１により実行されるコピー処理を示す。以下、図６を参照して、コピー処理について説明する。
【００３８】
まず、動作モードが全域印字モードに設定されているか否かが判断され（ステップＳ１）、全域印字モードに設定されていない場合には（ステップＳ１；ＮＯ）、転写紙に書込み領域外枠を設けて画像形成を行う通常のコピー動作が行われる（ステップＳ２）。
【００３９】
動作モードが全域印字モードに設定されている場合には（ステップＳ１；ＹＥＳ）、両面印字が設定されているか否かが判断され（ステップＳ３）、両面印字が設定されている場合には（ステップＳ３；ＹＥＳ）、循環枚数が１枚に変更される（ステップＳ４）。両面印字が設定されていない場合は（ステップＳ３；ＮＯ）、処理はステップＳ５に移行する。
【００４０】
次いで、スキャナ部１０３により原稿画像が読み取られ（ステップＳ５）、プリンタ部１０５において、読み取られた画像のトナー像が画像形成手段の中間転写ベルト５６上に形成され、給紙トレイ６６から給紙が行われ、２次転写ローラ５９の圧着によりトナー像が転写紙に転写され、転写紙上に画像が形成される（ステップＳ６）。
【００４１】
また、画像形成と並行して印字率算出部１０６により印字率が算出され（ステップＳ７）、算出された印字率及び２次転写ローラクリーニング条件テーブル１０７ａに基づいて、クリーニング条件が決定される（ステップＳ８）。クリーニング条件としては、ここでは、電源６７から２次転写ローラ５９に流すプラス極性の電流及びマイナス極性の電流、クリーニング実行時間が決定される。図５に示すように、印字率が高いほど、電流値の絶対値が大きく、実行時間が長く決定される。
【００４２】
転写紙への画像形成後、電源６７から２次転写ローラ５９へ、クリーニング条件として決定された電流値のプラス極性の電流及びマイナス極性の電流を、決定された実行時間だけ交互に切り換えて流すことにより、２次転写ローラ５９のクリーニングが行われる（ステップＳ９）。なお、印字率が０又は０近傍（ここでは、０〜０．１％未満）である場合には、クリーニングを実行せず、処理は直ちに次のステップへ移行する。全頁の画像形成、転写が終了するまで、ステップＳ６〜Ｓ９が繰り返し実行され、全頁の画像形成、転写が終了すると（ステップＳ１０；ＹＥＳ）、本処理は終了する。
【００４３】
なお、両面印字時には、転写紙の片面への画像形成が行われた後、この転写紙は搬送路を循環して反転され、２次転写ローラ５９のクリーニング後のステップＳ６においては、この転写紙のもう片面（裏面）が中間転写ベルト５６に対向させて２次給紙され、画像が転写される。両面画像形成終了後の、２次転写ローラ５９のクリーニング後のステップＳ６においては、給紙トレイ６６から次の転写紙が給紙され、次の転写紙の循環が開始される。
【００４４】
以上説明したように、画像形成装置１によれば、全域印字モードが設定されている場合、両面印字時には循環枚数を１枚に変更し、印字率算出部１０６により算出された、転写紙の書込み領域外枠における印字率に基づいて２次転写ローラ５９のクリーニング条件を決定し、給紙された前記転写紙の片面に画像を転写後、転写紙の循環中に、決定されたクリーニング条件で２次転写ローラ５９のクリーニングを実行し、クリーニング終了後に転写紙の裏面に画像を転写し、転写後に、決定されたクリーニング条件で２次転写ローラ５９のクリーニングを実行し、このクリーニング終了後に次の転写紙の循環を開始する。従って、循環枚数が１枚に設定されているので、両面印字時においても２次転写ローラ５９のクリーニング時間を確保することができ、プリントスピードは落ちてしまうが、汚れのない、ユーザの満足できる画像を提供することができる。また、各印字率における２次転写ローラ５９の汚れ具合に応じて最適なクリーニング条件を決定することができる。更に、印字率が０又は０近傍であるときは、クリーニングを行わないので、無駄なクリーニング動作、無駄なクリーニング時間を省略することができ、効率よくプリント出力を行うことができる。
【００４５】
〔第２の実施の形態〕
以下、図を参照して、本発明の第２の実施の形態について説明する。
まず、構成を説明する。
【００４６】
本実施の形態において、図１の記憶部１０７は、２次転写ローラクリーニング条件テーブル１０７ｂを始めとする各種データを記憶する。
図７に、２次転写ローラクリーニング条件テーブル１０７ｂの一例を示す。図７に示すように、２次転写ローラクリーニング条件テーブル１０７ｂは、印字率を示すデータ（例えば、０〜０．１％未満、０．１〜５％未満、５〜１０％未満、１０％以上）と、印字率に応じた２次転写ローラ５９のクリーニング実行時間を示すデータ（例えば、０秒、２秒、４秒、６秒）と、が互いに対応付けて記憶されている。この２次転写ローラクリーニング条件テーブル１０７ｂには、印字率の各段階において発生する２次転写ローラの汚れに対して最適なクリーニングを行えるようにクリーニング条件が設定されている。
【００４７】
また、図８に示すように、クリーニング手段として、２次転写ローラ５９に付着したトナー等の汚れを掻き取るためのブレード６８が、２次転写ローラ５９に接触するように設けられている。
【００４８】
その他の構成は、図１、３に示す第１の実施の形態の構成と同様であるので、その説明は省略する。
【００４９】
次に、動作について説明する。
本実施の形態においては、制御部１０１は、図６で説明したコピー処理と同様の手順でコピー処理Ｂを実行する。コピー処理Ｂにおいて、図６に示すステップＳ１〜Ｓ７が実行され、ステップＳ８においては、ステップＳ７で算出された印字率及び２次転写ローラクリーニング条件テーブル１０７ｂに基づいてクリーニング条件が決定される。
【００５０】
クリーニング条件としては、ここでは、クリーニングの実行時間、即ち、２次転写ローラ５９の回転時間が決定される。図７に示すように、印字率が高いほど、実行時間が長く決定される。
【００５１】
ステップＳ９において、ステップＳ８でクリーニング条件として決定された実行時間分、２次転写ローラ５９が回転され、ブレード６８による２次転写ローラ５９のクリーニングが実行される。なお、印字率が０付近（ここでは、０〜０．１％未満）である場合には、クリーニングを実行せず、処理は直ちに次のステップへ移行する。全頁の画像形成が終了するまでステップＳ６〜Ｓ９が繰り返し実行され、全頁の画像形成が終了すると、本処理は終了する。
【００５２】
以上説明したように、画像形成装置１によれば、全域印字モードが設定されている場合、両面印字時には循環枚数を１枚に変更し、印字率算出部１０６により算出された、転写紙の書込み領域外枠における印字率に基づいて２次転写ローラ５９のクリーニング実行時間を決定し、給紙された前記転写紙の片面に画像を転写後、転写紙の循環中に、決定されたクリーニング実行時間で２次転写ローラ５９のクリーニングを実行し、クリーニング終了後に転写紙の裏面に画像を転写し、転写後に、決定されたクリーニング実行時間２次転写ローラ５９のクリーニングを実行し、このクリーニング終了後に次の転写紙の循環を開始する。従って、循環枚数が１枚に設定されているので、２次転写ローラ５９のクリーニング時間を確保することができ、プリントスピードは落ちてしまうが、汚れのない、ユーザの満足できる画像を提供することができる。また、各印字率における２次転写ローラ５９の汚れ具合に応じて最適なクリーニング実行時間を決定することができる。更に、印字率が０又は０近傍であるときは、クリーニングを行わないので、無駄なクリーニング動作、無駄なクリーニング時間を省略することができ、効率よくプリント出力を行うことができる。
【００５３】
なお、上記第１、２の実施の形態における記述内容は、本発明に係る画像形成装置１の好適な一例であり、これに限定されるものではない。
【００５４】
例えば、上記実施の形態においては、電子写真方式のカラー複写機を例にとり説明したが、これに限定されず、例えば、カラープリンタ、ＭＦＰ（マルチファンクションプリンタ）、ファクシミリ装置、複合機等に適用することができる。
【００５５】
また、モノクロの画像形成装置等、感光体ドラムに形成された画像を、中間転写ベルトを介さずに、転写ローラの圧着により直接転写紙上に画像を転写する場合においても本発明を適用することができる。
【００５６】
その他、画像形成装置１を構成する各装置の細部構成及び細部動作に関しても、本発明の趣旨を逸脱することのない範囲で適宜変更可能である。
【図面の簡単な説明】
【００５７】
【図１】本発明に係る画像形成装置１の機能的構成を示すブロック図である。
【図２】転写紙の書込み領域外枠を説明するための図である。
【図３】図１のプリンタ部１０５の内部構成を示す図である。
【図４】２次転写ローラ５９のクリーニング工程を模式的に示す図である。
【図５】図１の記憶部１０７に記憶される転写ローラクリーニング条件テーブル１０７ａの一例を示す図である。
【図６】図１の制御部１０１により実行されるコピー処理を示すフローチャートである。
【図７】図１の記憶部１０７に記憶される転写ローラクリーニング条件テーブル１０７ｂの一例を示す図である。
【図８】２次転写ローラ５９のクリーニング工程を模式的に示す図である。
【符号の説明】
【００５８】
１  画像形成装置
１０１  制御部
１０２  操作表示部
１０３  スキャナ部
１０４  画像処理部
１０５  プリンタ部
４０Ｙ、４０Ｍ、４０Ｃ、４０Ｋ  書込みユニット
５０Ｙ、５０Ｍ、５０Ｃ、５０Ｋ  感光体ユニット
５１Ｙ、５１Ｍ、５１Ｃ、５１Ｋ  感光体ドラム
５２Ｙ、５２Ｍ、５２Ｃ、５２Ｋ  現像器
５３Ｙ、５３Ｍ、５３Ｃ、５３Ｋ  帯電器
５４Ｙ、５４Ｍ、５４Ｃ、５４Ｋ  クリーナ
５５Ｙ、５５Ｍ、５５Ｃ、５５Ｋ  １次転写ローラ
５６  中間転写ベルト
５７  ローラ
５８  レジストローラ
５９  ２次転写ローラ
６０  定着ユニット
６１  排紙ローラ
６２  ベルトクリーニング
６４  搬送路切換板
６５  両面搬送ユニット
６６  給紙トレイ
６７  電源
６８  ブレード
１０６  印字率算出部
１０７  記憶部
１０８  送受信部
１０９  バス
【図１】
2005062412.tif 000003
【図２】
2005062412.tif 000004
【図３】
2005062412.tif 000005
【図４】
2005062412.tif 000006
【図５】
2005062412.tif 000007
【図６】
2005062412.tif 000008
【図７】
2005062412.tif 000009
【図８】
2005062412.tif 000010